(57)【要約】【課題】コイル保管装置の配置面積を減少しレイアウトの自由度を向上可能であり、ＲＦコイルを持ち運ぶ際の落下の危険性を低減させることでき、ＲＦコイルの選別が明確になって作業効率が向上可能なコイル保管装置を提供することにある。【解決手段】コイル保管装置１が、被検体におけるＲＦコイルが装着される装着部位を模した形状で形成されるコイル保管部を含む被検体モデル２とキャスター７０を有し、コイル保管部に、被検体における装着部位に装着されたＲＦコイルが取り付けられることによりＲＦコイルを保管する。【選択図】図１
2007325729.tif 000002
【特許請求の範囲】
【請求項１】
被検体に装着され、被検体から反射される磁気共鳴信号を受信するＲＦコイルを保管するコイル保管装置であって、
前記被検体における前記ＲＦコイルが装着される装着部位を模した形状で形成され、ＲＦコイルを保管するコイル保管部を含む被検体モデル
を有する
コイル保管装置。
【請求項２】
前記被検体モデルと床面とが対面する位置にキャスターを有する
請求項１に記載のコイル保管装置。
【請求項３】
前記被検体モデルは、前記コイル保管部として、前記被検体の頭部に装着される前記ＲＦコイルが取り付けられるものであって、前記被検体モデルが前記被検体の頭部を模した形状で形成される頭部を有する
請求項１または２に記載のコイル保管装置。
【請求項４】
前記被検体モデルは、前記コイル保管部として、前記被検体の頸部に装着される前記ＲＦコイルが取り付けられるものであって、前記被検体モデルが前記被検体の頸部を模した形状で形成される頸部を有する
請求項１から３のいずれかに記載のコイル保管装置。
【請求項５】
前記被検体モデルは、前記コイル保管部として、前記被検体の肩部に装着される前記ＲＦコイルが取り付けられるものであって、前記被検体モデルが前記被検体の肩部を模した形状で形成される肩部を有する
請求項１から４のいずれかに記載のコイル保管装置。
【請求項６】
前記被検体モデルは、前記コイル保管部として、前記被検体の上肢部に装着される前記ＲＦコイルが取り付けられるものであって、前記被検体モデルが前記被検体の上肢部を模した形状で形成される上肢部を有する
請求項１から５のいずれかに記載のコイル保管装置。
【請求項７】
前記被検体モデルは、前記コイル保管部として、前記被検体の胴部に装着される前記ＲＦコイルが取り付けられるものであって、前記被検体モデルが前記被検体の胴部を模した形状で形成される胴部を有する
請求項１から６のいずれかに記載のコイル保管装置。
【請求項８】
前記被検体モデルは、前記コイル保管部として、前記被検体の下肢部に装着される前記ＲＦコイルが取り付けられるものであって、前記被検体モデルが前記被検体の下肢部を模した形状で形成される下肢部を有する
請求項１から７のいずれかに記載のコイル保管装置。
【請求項９】
前記被検体の下肢部に装着される前記ＲＦコイルが取り付けられるものであって、前記被検体モデルが前記被検体の下肢部を模した形状で形成される下肢部と、
前記被検体の肩部に装着される前記ＲＦコイルが取り付けられるものであって、前記被検体モデルが前記被検体の肩部を模した形状で形成される肩部と
を有し、
前記被検体モデルの下肢部の端部が、前記被検体モデルの肩部より外側に位置している
請求項１または２に記載のコイル保管装置。
【請求項１０】
前記被検体の下肢部に装着される前記ＲＦコイルが取り付けられるものであって、前記被検体モデルが前記被検体の下肢部を模した形状で形成される下肢部を３以上有する
請求項１または２に記載のコイル保管装置。
【請求項１１】
前記被検体の上肢部に装着される前記ＲＦコイルが取り付けられるものであって、前記被検体モデルが前記被検体の上肢部を模した形状で形成される上肢部を有し、
前記被検体モデルの上肢部が上方に延在している
請求項１または２に記載のコイル保管装置。
【請求項１２】
前記被検体の頭部に装着される前記ＲＦコイルが取り付けられるものであって、前記被検体モデルが前記被検体の頭部を模した形状で形成される頭部と、
前記被検体の頸部に装着される前記ＲＦコイルが取り付けられるものであって、前記被検体モデルが前記被検体の頸部を模した形状で形成される頸部と、
前記被検体の胴部に装着される前記ＲＦコイルが取り付けられるものであって、前記被検体モデルが前記被検体の胴部を模した形状で形成される胴部と、
前記被検体の肩部に装着される前記ＲＦコイルが取り付けられるものであって、前記被検体モデルが前記被検体の肩部を模した形状で形成される肩部と、
前記被検体の上肢部に装着される前記ＲＦコイルが取り付けられるものであって、前記被検体モデルが前記被検体の上肢部を模した形状で形成される上肢部と、
前記被検体の下肢部に装着される前記ＲＦコイルが取り付けられるものであって、前記被検体モデルが前記被検体の下肢部を模した形状で形成される部分と
を有し、
前記被検体モデルの頸部が前記被検体モデルの頭部の下に位置し、
前記被検体モデルの肩部が前記被検体モデルの頸部の下に位置し、
前記被検体モデルの胴部が前記被検体モデルの肩部の下に位置し、
前記被検体モデルの上肢部が前記被検体モデルの肩部の左右に位置し、
前記被検体モデルの下肢部が前記被検体モデルの胴部の下に位置する
請求項１または２に記載のコイル保管装置。
【請求項１３】
コイル保管装置が非磁性体で作成されている
請求項１から１２のいずれかに記載のコイル保管装置。
【請求項１４】
被検体モデルは磁気共鳴イメージング検査に使用する器具を収納する収納部を更に有している
請求項１から１３のいずれかに記載のコイル保管装置。
【発明の詳細な説明】
【技術分野】
【０００１】
本発明は、ＲＦコイルを保管するコイル保管装置に関する。
【背景技術】
【０００２】
ＲＦコイルは磁気共鳴イメージング検査（以下、ＭＲＩ検査とも称する）において、非検体の検査部位に装着され、ＲＦパルスを照射し、被検体から反射される磁気共鳴信号を受信する。ＭＲＩ検査後、ＲＦコイルは磁気共鳴イメージング検査室（以下、ＭＲＩ検査室とも称する）内に設置してある据え置き式の木製の棚に保管される。
【０００３】
ＲＦコイルを保管する棚はＭＲＩ検査の障害とならないように設置されている。そのため、ＭＲＩ検査時、被検体に装着するＲＦコイルを棚から磁気共鳴イメージング装置（以下、ＭＲＩ装置とも称する）まで持ち運ぶ必要がある。
また近年、被検体の様々な部位の診断に有効となってきたことに伴い、ＲＦコイルも多様化し、形状も複雑化してきており、ＲＦコイルを保管する棚も大型化してきている。
【発明の開示】
【発明が解決しようとする課題】
【０００４】
しかし、既存のＭＲＩ検査室のスペースは限られているため、ＭＲＩ検査室におけるＲＦコイルを保管する据え置き棚の占有率が高くなってきている。
また近年、ＲＦコイルは重量化してきており、ＲＦコイルを保管棚からＭＲＩ装置まで持ち運ぶ際、取り落とす等の危険性がある。
【０００５】
また、ＲＦコイルが多様化し、形状も複雑化してきているため、ＲＦコイルを保管している棚から被検体の検査部位に装着するＲＦコイルを選別するのに時間を要し、作業効率が低下してきている。
【０００６】
したがって、本発明の目的は、コイル保管装置の配置面積を減少しレイアウトの自由度が向上可能であり、ＲＦコイルを持ち運ぶ際の落下の危険性を低減させることでき、ＲＦコイルの選別が明確になって作業効率が向上可能なコイル保管装置を提供することにある。
【課題を解決するための手段】
【０００７】
上記目的の達成のために本発明のコイル保管装置は、被検体に装着され、被検体から反射される磁気共鳴信号を受信するＲＦコイルを保管するコイル保管装置であって、前記被検体における前記ＲＦコイルが装着される装着部位を模した形状で形成されるコイル保管部を含む被検体モデルを有し、前記コイル保管部に、前記被検体における前記装着部位に装着された前記ＲＦコイルが取り付けられることにより、前記被検体モデルに前記ＲＦコイルを保管する。
【発明の効果】
【０００８】
本発明によれば、コイル保管装置の配置面積を減少しレイアウトの自由度が向上可能であり、ＲＦコイルを持ち運ぶ際の落下の危険性を低減させることでき、ＲＦコイルの選別が明確になって作業効率が向上可能なコイル保管装置を提供することができる。
【発明を実施するための最良の形態】
【０００９】
以下より、本発明にかかる実施形態について図面を参照して説明する。
【００１０】
図１は、本発明に係る実施形態におけるコイル保管装置を示す構成図であり、図１（ａ）は正面図を示し、図１（ｂ）は側面図を示す。
【００１１】
図１示すように、本実施形態のコイル保管装置１は、被検体モデル２と、キャスター７０と、収納部８０とを有する。被検体モデル２は、被検体におけるＲＦコイルが装着される装着部位を模した形状、即ち図１では人体をモデルに形成されるコイル保管部を含み、たとえば、頭部１０と、頸部２０と、肩部３０と、上肢部４０と、胴部５０と、下肢部６０とを有する。
また、ＭＲＩ検査室内は強力な磁場が発生するため、コイル保管装置１は、非磁性体材料により形成される。たとえば、木、プラスチックなどの非金属類、アルミニウム、ステンレスなどの非磁性体金属などが挙げられる。
【００１２】
以下より、各構成要素について、順次、説明する。
【００１３】
頭部１０は、被検体の頭部に装着される頭部ＲＦコイルを保管する部分である。頭部ＲＦコイルは頭部１０にモデル２を移動させたときに落下しないように止められている。たとえば、被検体に頭部ＲＦコイルが装着されるのと同様に、頭部１０に形成された頭部模型を被覆する形で頭部ＲＦコイルを取り付け、保管する。
【００１４】
頸部２０は、頭部１０の下に位置し、被検体の頸部に装着される頸部ＲＦコイルを保管する部分である。頸部ＲＦコイルはベルト状である。たとえば、被検体に頸部ＲＦコイルが装着されるのと同様に、頸部ＲＦコイルを被検体モデル２の頸部２０に巻き付ける形で取り付け、保管する。
【００１５】
肩部３０は、頸部２０の下に位置し、被検体の肩部に装着される肩部ＲＦコイルを保管する部分である。肩部ＲＦコイルはベルト状である。たとえば、被検体に肩部ＲＦコイルが装着されるのと同様に、肩部ＲＦコイルを被検体モデル２の肩部３０に巻き付ける形で取り付け、保管する。
【００１６】
上肢部４０は、肩部３０の左右に位置し、被検体の上肢部、たとえば、上腕部、前腕部、手首などに装着される上肢ＲＦコイルを保管する部分である。上肢ＲＦコイルは、装着される部位によりベルト状、円環状等である。たとえば、上肢ＲＦコイルを被検体モデル２の上肢部４０にその形状に応じて取り付け、保管する。
【００１７】
本実施形態では、上肢部４０は、水平に延在している上腕部を模した形状で形成される部分と、上方に延在している前腕部を模した形状で形成される部分とにより構成さていれる。上肢部４０の前腕部を模した形状で形成される部分に装着される円環状ＲＦコイルが、水平に延在している上腕部を模した形状で形成される部分で支えられることにより、落下を防止できる。また、ベルト状のＲＦコイルであっても被検体モデル２の前腕部の太さより大きい径で、即ち、ゆるく巻きつけることが可能となる。
【００１８】
同様に、上肢部４０の上腕部を模した形状で形成される部分に装着されるＲＦコイルが、ＲＦコイル装着部である被検体モデル２の上腕部の太さより大きい径であっても、上方に延在している前腕部を模した形状で形成される部分で支えられることにより、コイル保管部から落下を防止できる。
【００１９】
胴部５０は、肩部３０の下に位置し、被検体の胴部、たとえば、胸部、腹部に装着する胴部ＲＦコイルを保管する部分である。たとえば、被検体に装着されるベルト状の胴部ＲＦコイルを被検体モデル２の胴部５０に巻き付ける形で取り付け、ＲＦコイルを保管する。
【００２０】
下肢部６０は、胴部５０の下に位置し、胴部５０を支える。下肢部６０は、被検体の下肢部、たとえば、大腿部、膝部、下腿部などに装着する下肢ＲＦコイルを保管する部分である。下肢ＲＦコイルは、装着される部位によりベルト状、円環状等である。たとえば、下肢ＲＦコイルを被検体モデル２の下肢部６０にその形状に応じて取り付け、保管する。
【００２１】
本実施形態では、下肢ＲＦコイルを被検体モデル２の下肢部６０に巻き付ける形で取り付け、ベルト状ＲＦコイルを保管する。なお、被検体モデル２の下肢部６０に巻き付ける際には被検体モデル２の下肢部６０からずり落ちないように巻きつけるか、被検体モデル２の下肢部６０にずり落ち防止用のストッパー（図示なし）を設けておく。同様に、円環状のＲＦコイルも下肢部６０に保管し、落下を防止できる。
【００２２】
下肢部６０の端部は、被検体モデル２の肩部３０より外側に位置している。下肢部６０の端部が肩部３０の外側に位置することにより、ＲＦコイル保管時、コイル保管装置１の移動時等に、コイル保管装置１の転倒を防止することができる。
また、下肢部６０の他に、脚部６１が１本以上設けられる。脚部６１を設けることにより被検体モデル２を安定させて立たせておくことができ、コイル保管装置１を安定して支持することができる。
【００２３】
キャスター７０は、被検体モデル２を支持し、移動させる。キャスター７０は、被検体モデル２と床面とが対面する位置に設置される。キャスター７０の材質は、非磁性体である。
【００２４】
収納部８０は、ＭＲＩ検査時に使用する器具を収納する。たとえば、ＣＴＬ（ｃｅｒｖｉｃａｌ  ｔｈｏｒａｃｉｃ  ｌｕｍｂｅｒ）コイル、ペルビックコイルなどの被検体に装着しないで使用するＲＦコイルやＭＲＩ検査時に被検体を固定する固定具などが収納される。収納部８０は、被検体の任意の部分に設けられる。たとえば、被検体モデル２の肩部３０から背負うように背部に設けられる。
【００２５】
以下より、本実施形態のコイル保管装置１において、ＲＦコイルをコイル保管装置１から被検体に装着する動作と、被検体に装着して使用したＲＦコイルを、コイル保管装置１に保管する動作について説明する。
【００２６】
図２は、被検体とコイル保管装置の間でのＲＦコイルの移動を説明する図であり、図２（ａ）は被検体を示し、図２（ｂ）はコイル保管装置を示す。
また、図３は、ＭＲＩ検査室内におけるコイル保管装置１の配置状況を示す図である。
また、図４は、ＭＲＩ検査時においてＭＲＩ検査室内におけるコイル保管装置１の移動状況を示す図である。
【００２７】
図２に示すように、コイル保管装置１のコイル保管部、即ち被検体におけるＲＦコイルが装着される装着部位を模した形状で形成されたコイル保管部に、ＲＦコイルを保管する。たとえば、図２に示すように、コイル保管装置１における頭部１０に頭部ＲＦコイル１１０を、上肢部４０に前腕ＲＦコイル１４０と上腕ＲＦコイル１４１を、胴部５０に腹部ＲＦコイル１５０を、下肢部６０に大腿ＲＦコイル１６０と下腿ＲＦコイル１６１を保管する。なお、図２には頸部２０に頸部ＲＦコイルを、肩部３０に肩部ＲＦコイルを装着していないが、これらの保管が必要なときにはそれぞれのＲＦコイルを装着保管し、あるいは保管の必要がない部位にはＲＦコイルを保管する必要はない。
【００２８】
図３に示すように、コイル保管装置１は、ＭＲＩ検査室２００内におけるＭＲＩ検査の障害とならない位置に配置される。
【００２９】
図４に示すように、ＭＲＩ検査時、コイル保管装置１をＭＲＩ装置に横付けする。そして、たとえば、図２に示すように、コイル保管装置１における頭部ＲＦコイル１１０が保管されている頭部１０から頭部ＲＦコイル１１０を取り、被検体の頭部（検査部位）に頭部ＲＦコイル１１０を装着する。その後、コイル保管装置１は、ＭＲＩ検査の障害とならない位置に移動され、ＭＲＩ検査を実施する。移動はキャスター７０のすべりによりスムーズになすことができる。
【００３０】
ＭＲＩ検査後、再びコイル保管装置１をＭＲＩ装置に横付けする。被検体から取り外された頭部ＲＦコイル１１０をコイル保管装置１における頭部１０に保管する。そして、再びコイル保管装置１をＭＲＩ検査室２００内におけるＭＲＩ検査の障害とならない位置に配置する。
【００３１】
以上のように、ＲＦコイルを保管する据え置き棚を、コイル保管装置１に換えることにより、ＭＲＩ検査室２００内から据え置き棚を撤去することができるため、ＭＲＩ検査室２００の省スペース化が図れ、ＭＲＩ検査室２００のレイアウトの自由度を向上させることができる。
またコイル保管装置１は、キャスター７０の装着によりスムーズに移動できる。なお、コイル保管装置１と床面との摩擦を軽減することで、その移動を支障なく行えるときにはキャスター７０は設けなくともよい。したがって、コイル保管装置１はＭＲＩ検査室２００内を自由に可動するため、コイル保管装置１をＭＲＩ装置に横付けすることが可能となり、ＲＦコイルを持ち運ぶ際の取り落としの危険性を低減することができる。そのうえ、被検体の検査部位に装着するＲＦコイルを、被検体におけるＲＦコイルが装着される装着部位を模した形状で形成されるコイル保管部に取り付けて、保管することにより、ＭＲＩ検査時に容易に装着部位のＲＦコイルを選別することができ、作業効率を向上させることができる。
【００３２】
なお、上記の本実施形態におけるコイル保管装置１は、本発明のコイル保管装置に相当する。また、本実施形態の被検体モデル２は、本発明の被検体モデルに相当する。また、本実施形態の頭部１０は、本発明の被検体モデルの頭部に相当する。また、本実施形態の頸部２０は、本発明の被検体モデルの頸部に相当する。また、本実施形態の肩部３０は、本発明の被検体モデルの肩部に相当する。また、本実施形態の上肢部４０は、本発明の被検体モデルの上肢部に相当する。また、本実施形態の胴部５０は、本発明の被検体の胴部に相当する。また、本実施形態の下肢部６０は、本発明の被検体の下肢部に相当する。また、本実施形態のキャスター７０は、本発明のキャスターに相当する。また、本実施形態の収納部８０は、本発明の収納部に相当する。
【００３３】
なお、本発明の実施に際しては、上記した実施形態に限定されるものではなく、種々の変形形態を採用することができる。
【００３４】
実施形態において、被検体モデル２は人体を模した形状になっているが、これに限定されず、ＭＲＩ検査を行う動物を模した形状になっていてもよい。
【００３５】
また実施形態において、被検体モデル２は、人体の全身を模しているが、これに限定されず、人体の一部を模した形状でもよい。たとえば、人体の上半身のみを模した形状、人体の全身から上肢部を取り外した形状等であってもよい。
【００３６】
また、実施形態において、下肢部６０の他に、脚部６１を１本以上設けているが、これに限定されず、たとえば、下肢部６０のみを３本以上設けてもよい。
【図面の簡単な説明】
【００３７】
【図１】図１は、本発明に係る実施形態のコイル保管装置の構成を示す構成図である。
【図２】図２は、被検体とコイル保管装置の間でのＲＦコイルの移動を説明する図である。
【図３】図３は、ＭＲＩ検査室内におけるコイル保管装置１の配置状況を示す図である。
【図４】図４は、ＭＲＩ検査時においてＭＲＩ検査室内におけるコイル保管装置１の移動状況を示す図である。
【符号の説明】
【００３８】
１：コイル保管装置
２：被検体モデル
１０：頭部
２０：頸部
３０：肩部
４０：上肢部
５０：胴部
６０：下肢部
７０：キャスター
８０：収納部
１００：ＭＲＩ装置
２００：ＭＲＩ検査室
【図１】
2007325729.tif 000003
【図２】
2007325729.tif 000004
【図３】
2007325729.tif 000005
【図４】
2007325729.tif 000006